(57)【特許請求の範囲】
【請求項１】
横断歩道や自転車横断帯に用いられる横断歩道・自転車横断帯用ＬＥＤ内照式道路標識であって、
正面視において規格の１．５倍の寸法の五角形状に形成された筐体状の標識本体を備え、
前記標識本体は、
遮光性を有する材料で形成された断面五角形状の筒形状の周壁部と、
前記周壁部の前方開口部を閉塞し、光透過性を有する五角形状の表示板を備えた前壁部と、
前記周壁部の後方開口部を閉塞し、光透過性を有する五角形状の表示板を備えた後壁部と、
を備え、
前記周壁部は、
略矩形板状の下壁部と、
前記下壁部の左右の側端部からそれぞれ前記下壁部に対して垂直に立ち上がる略矩形板状の左側壁部及び右側壁部と、
前記左側壁部の上端部及び右側壁部の上端部からそれぞれ斜め上方に互いに近付くように延設されて、上端部が互いに連結された略矩形板状の左上壁部及び右上壁部と、
を備え、
前記周壁部の内面には、略全周に亘って、光反射材が設けられ、
指向角が１１０〜１３０°の範囲内で高光束の複数のＬＥＤを、前記周壁部の内面側に、前記周壁部の周方向に沿って、部分的に配置することにより、前記前壁部の前記表示板及び前記後壁部の前記表示板に均整光を照射可能に構成されたことを特徴とする横断歩道・自転車横断帯用ＬＥＤ内照式道路標識。
【請求項２】
前記各ＬＥＤは、光束が初期特性において２０ｌｍ以上であることを特徴とする請求項１記載の横断歩道・自転車横断帯用ＬＥＤ内照式道路標識。
【請求項３】
前記各ＬＥＤは、光束が初期特性において２０〜２５ｌｍの範囲内であることを特徴とする請求項２記載の横断歩道・自転車横断帯用ＬＥＤ内照式道路標識。
【請求項４】
少なくとも、前記左側壁部及び前記右側壁部には、前記ＬＥＤが配置されていないことを特徴とする請求項１乃至請求項３のいずれか１項に記載の横断歩道・自転車横断帯用ＬＥＤ内照式道路標識。
【請求項５】
少なくとも、前記左上壁部の上端部から前記左上壁部に沿って２００ｍｍ下がった位置までの範囲、及び、前記右上壁部の上端部から前記右上壁部に沿って２００ｍｍ下がった位置までの範囲には、前記ＬＥＤが配置されていないことを特徴とする請求項１乃至請求項４のいずれか１項に記載の横断歩道・自転車横断帯用ＬＥＤ内照式道路標識。
【請求項６】
前記ＬＥＤが、
前記下壁部の内面側には、隣り合う前記ＬＥＤの中心同士の間隔を３０〜４０ｍｍの範囲内の所定間隔として、少なくとも１８個、前記下壁部の中央部から左右対称的に、かつ、前記下壁部の短手方向における中央部に、前記下壁部の長手方向に沿って直線的に、並設され、
前記左上壁部の内面側には、前記上端部から前記左上壁部に沿って２００〜３２０ｍｍの範囲内の所定距離下がった位置から、隣り合う前記ＬＥＤの中心同士の間隔を３０〜４０ｍｍの範囲内の所定間隔として、少なくとも９個、前記左上壁部の短手方向における中央部に、前記左上壁部の長手方向に沿って直線的に、並設され、
前記右上壁部の内面側には、前記上端部から前記右上壁部に沿って２００〜３２０ｍｍの範囲内の所定距離下がった位置から、隣り合う前記ＬＥＤの中心同士の間隔を３０〜４０ｍｍの範囲内の所定間隔として、少なくとも９個、前記右上壁部の短手方向における中央部に、前記右上壁部の長手方向に沿って直線的に、並設された
ことを特徴とする請求項５に記載の横断歩道・自転車横断帯用ＬＥＤ内照式道路標識。
【請求項７】
前記下壁部における前記ＬＥＤの配置個数が１８〜２４個、前記左上壁部及び前記右上壁部における前記ＬＥＤの配置個数がそれぞれ９〜１２個の範囲内であることを特徴とする請求項６に記載の横断歩道・自転車横断帯用ＬＥＤ内照式道路標識。
【請求項８】
前記周壁部が、外面側の略五角形の筒状とした枠本体を備え、
該枠本体が、前後方向に沿って板状に形成される本体壁部と、該本体壁部の前後両縁に配置されて、前記標識本体の内方へ突出する断面逆Ｕ字状のチャンネル部と、を備えて構成され、
前記光反射材が、剛性を有した板状の基板と該基板の内面に設けた光反射層とから構成されて、前記周壁部の前後の前記チャンネル部における内方へ突出した内面を取付座として、前記チャンネル部に取り付けられ、
複数の前記ＬＥＤがＬＥＤ基板に並設されて、該ＬＥＤ基板が、前記左上壁部、前記右上壁部、及び、前記下壁部に配置された前記光反射材の内面側に、それぞれ、取り付けられるとともに、
道路標識用の前記ＬＥＤ以外の複数の電気機器が、前記標識本体内に内蔵され、
前記電気機器が、それぞれ、前記チャンネル部の内面からの突出量を抑制するように、外面側を、前記チャンネル部の内面より前記本体壁部の内面に接近させるように配置させて、前記周壁部に取り付けられ、
複数の前記電気機器の内のいずれかが、内面側を前記光反射材に設けた挿通孔から突出させて、配置されていることを特徴とする請求項１乃至請求項７のいずれか１項に記載の横断歩道・自転車横断帯用ＬＥＤ内照式道路標識。
【請求項９】
前記ＬＥＤが、前記左側壁部と前記右側壁部とに配置されない構成として、
複数の前記電気機器の内の少なくとも一つが、前記左側壁部若しくは前記右側壁部の少なくとも一方において、前記チャンネル部の内面からの突出量を抑制するように、外面側を前記チャンネル部の内面より前記本体壁部の内面に接近させて、前記左側壁部若しくは前記右側壁部に取り付けられていることを特徴とする請求項８に記載の横断歩道・自転車横断帯用ＬＥＤ内照式道路標識。
【請求項１０】
前記下壁部に、全体を前記標識本体の下方に突出させるように、道路上を照らすための照明部が取着され、
前記照明部はＬＥＤを光源とすることを特徴とする請求項１乃至請求項９のいずれか１項に記載の横断歩道・自転車横断帯用ＬＥＤ内照式道路標識。
【請求項１１】
前記照明部が、前記下壁部の下面側に配置された自在継手手段を介して、前記下壁部の下面側に取着されていることを特徴とする請求項１０に記載の横断歩道・自転車横断帯用ＬＥＤ内照式道路標識。
【発明の詳細な説明】
【技術分野】
【０００１】
本発明は、ＬＥＤ（発光ダイオード）を内部照明に用いたＬＥＤ内照式道路標識に関し、特に、横断歩道や自転車横断帯用の大型ＬＥＤ内照式道路標識に関する。
【背景技術】
【０００２】
一般に４０７標識とも称される横断歩道や自転車横断帯を示す道路標識は、道路標識、区画線及び道路標示に関する命令（昭和３５年１２月１７日総理府・建設省令第３号）別表第２に示すように、規格で各寸法が定められた特定の五角形とされている。かかる道路標識を、道路上の高い位置に設置するときなどは、各寸法を１．５倍することにより大型化するとともに、内部に照明を配置した内照式とし、夜間においても遠くから視認できるようにしたものが用いられている。
【０００３】
かかる内照式道路標識においては、内部照明として蛍光灯が用いられてきたが、最近では、消費電力が小さく長寿命のＬＥＤが用いられるようになってきている。下記特許文献１には、所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設けたものが記載されている。
【先行技術文献】
【特許文献】
【０００４】
【特許文献１】特開２００６−３０７６１１号公報
【発明の概要】
【発明が解決しようとする課題】
【０００５】
しかし、上記特許文献１記載のＬＥＤ内照式道路標識では、高出力ＬＥＤを筐体内面の全周に亘り配設しているため、消費電力量が多くなって、期待したような省エネルギー効果が得られないという問題があった。特に、大型の道路標識では、ＬＥＤを全周に亘り配設すると、多数のＬＥＤを配設することとなるため、かかる問題が顕著であった。
【０００６】
本発明は、上述した問題を解決するものであり、横断歩道・自転車横断帯用の大型ＬＥＤ内照式道路標識において、消費電力量を削減可能であり、省エネルギー効果の高いＬＥＤ内照式道路標識を提供することを目的とする。
【課題を解決するための手段】
【０００７】
本発明の横断歩道・自転車横断帯用ＬＥＤ内照式道路標識は、正面視において規格の１．５倍の寸法の五角形状に形成された筐体状の標識本体を備え、前記標識本体は、遮光性を有する材料で形成された断面五角形状の筒形状の周壁部と、前記周壁部の前方開口部を閉塞し、光透過性を有する五角形状の表示板を備えた前壁部と、前記周壁部の後方開口部を閉塞し、光透過性を有する五角形状の表示板を備えた後壁部と、を備え、前記周壁部は、略矩形板状の下壁部と、前記下壁部の左右の側端部からそれぞれ前記下壁部に対して垂直に立ち上がる略矩形板状の左側壁部及び右側壁部と、前記左側壁部の上端部及び右側壁部の上端部からそれぞれ斜め上方に互いに近付くように延設されて、上端部が互いに連結された略矩形板状の左上壁部及び右上壁部と、を備え、前記周壁部の内面には、全周に亘って、光反射材が設けられ、指向角が１１０〜１３０°の範囲内で高光束の複数のＬＥＤを、前記周壁部の内面側に、前記周壁部の周方向に沿って、部分的に配置することにより、前記前壁部の前記表示板及び前記後壁部の前記表示板に均整光を照射可能に構成されたことを特徴とする。
【０００８】
これによれば、ＬＥＤを標識本体の周壁に部分的に（すなわち、全周に亘らずに）配置しているので、消費電力量を削減でき、高い省エネルギー効果を得ることができる。
【０００９】
ここで、前記各ＬＥＤは、光束が初期特性において２０ｌｍ以上であることが好ましい。初期特性において光束が２０ｌｍ以上であれば、標識を認識させるのに十分な照度を得られるからである。
【００１０】
さらに、前記各ＬＥＤは、光束が初期特性において２０〜２５ｌｍの範囲内であることが好ましい。初期特性において光束が２０〜２５ｌｍの範囲内であれば、標識を認識させるのに十分な照度を得られるとともに、消費電力量の増加を抑制できるからである。
【００１１】
また、少なくとも、前記左側壁部及び前記右側壁部には、前記ＬＥＤが配置されていないことが好ましい。
【００１２】
これによれば、ＬＥＤの数を少なくできて消費電力量を削減可能であるとともに、右側壁部及び左側壁部を電源部等の機器の設置場所として利用できる。
【００１３】
また、少なくとも、前記左上壁部の上端部から前記左上壁部に沿って２００ｍｍ下がった位置までの範囲、及び、前記右上壁部の上端部から前記右上壁部に沿って２００ｍｍ下がった位置までの範囲には、前記ＬＥＤが配置されていないことが好ましい。
【００１４】
これによれば、少なくとも、左上壁部及び右上壁部のそれぞれの上端部から所定距離下がった位置まではＬＥＤを配置しないので、消費電力量を削減できる。
【００１５】
さらに、前記ＬＥＤが、前記下壁部の内面側には、隣り合う前記ＬＥＤの中心同士の間隔を３０〜４０ｍｍの範囲内の所定間隔として、少なくとも１８個、前記下壁部の中央部から左右対称的に、かつ、前記下壁部の短手方向における中央部に、前記下壁部の長手方向に沿って直線的に、並設され、前記左上壁部の内面側には、前記上端部から前記左上壁部に沿って２００〜３２０ｍｍの範囲内の所定距離下がった位置から、隣り合う前記ＬＥＤの中心同士の間隔を３０〜４０ｍｍの範囲内の所定間隔として、少なくとも９個、前記左上壁部の短手方向における中央部に、前記左上壁部の長手方向に沿って直線的に、並設され、前記右上壁部の内面側には、前記上端部から前記右上壁部に沿って２００〜３２０ｍｍの範囲内の所定距離下がった位置から、隣り合う前記ＬＥＤの中心同士の間隔を３０〜４０ｍｍの範囲内の所定間隔として、少なくとも９個、前記右上壁部の短手方向における中央部に、前記右上壁部の長手方向に沿って直線的に、並設されたことが好ましい。
【００１６】
これによれば、表示板を均整度よく照明することができ、かつ、少なくとも、左上壁部及び右上壁部のそれぞれの上端部から所定距離下がった位置まではＬＥＤを配置しないので、消費電力量を削減できる。
【００１７】
そして、さらに、前記下壁部における前記ＬＥＤの配置個数が１８〜２４個、前記左上壁部及び前記右上壁部における前記ＬＥＤの配置個数がそれぞれ９〜１２個の範囲内であることが好ましい。
【００１８】
これによれば、略最低限のＬＥＤで均整度よく照明でき、省エネルギー効果も高い。
【００１９】
さらに、前記周壁部は、外面側の略五角形の筒状とした枠本体を備えて構成し、
該枠本体は、前後方向に沿って板状に形成される本体壁部と、該本体壁部の前後両縁に配置されて、前記標識本体の内方へ突出する断面逆Ｕ字状のチャンネル部と、を設けて構成し、
前記光反射材は、剛性を有した板状の基板と該基板の内面に設けた光反射層とから構成されて、前記周壁部の前後の前記チャンネル部における内方へ突出した内面を取付座として、前記チャンネル部に取り付け、
複数の前記ＬＥＤはＬＥＤ基板に並設されて、該ＬＥＤ基板は、前記左上壁部、前記右上壁部、及び、前記下壁部に配置された前記光反射材の内面側に、それぞれ、取り付けるとともに、
道路標識用の前記ＬＥＤ以外の複数の電気機器が、前記標識本体内に内蔵されている場合には、前記電気機器は、それぞれ、前記チャンネル部の内面からの突出量を抑制するように、外面側を、前記チャンネル部の内面より前記本体壁部の内面に接近させるように配置させて、前記周壁部に取り付け、複数の前記電気機器の内のいずれかが、内面側を前記光反射材に設けた挿通孔から突出させて、配置することが好ましい。
【００２０】
これによれば、光反射材が、周壁部の枠本体における前後のチャンネル部を取付座とし、周壁部の最も内面側に取り付けられ、そして、その光反射材の内面側にＬＥＤが取り付けられることから、前後方向の投影状態で、周壁部の枠本体におけるチャンネル部の影になることなく、各ＬＥＤが、前後の表示板に均等光を照射できる。また、電気機器も、チャンネル部の内面からの突出量を抑制するように、外面側を、チャンネル部の内面より本体壁部の内面に接近させるように配置させて、周壁部の枠本体に取り付けられており、前後方向の投影状態で、極力、電気機器の影になることなく、各ＬＥＤが、前後の表示板に均等光を照射できる。さらに、電気機器が、周壁部の枠本体における本体壁部からのチャンネル部の高さ寸法より、高い寸法として、光反射材の配置エリアに配置されていても、光反射材の挿通孔から突出させて配置させており、その挿通孔の周縁の反射を利用して、極力、電気機器の影になることなく、各ＬＥＤが、前後の表示板に均等光を照射できる。その結果、このような構成では、ＬＥＤが、一層、前後の表示板を、均整度良く照明できる。
【００２１】
勿論、この場合でも、ＬＥＤの数を少なくできて消費電力量を削減できるように、前記ＬＥＤが、前記左側壁部と前記右側壁部とに配置されない構成として、既述したように、複数の前記電気機器の内の少なくとも一つが、前記左側壁部若しくは前記右側壁部の少なくとも一方に配置される構成としていても、その電気機器が、前記チャンネル部の内面からの突出量を抑制するように、外面側を、前記チャンネル部の内面より前記本体壁部の内面に接近させて、前記左側壁部若しくは前記右側壁部に取り付けられていれば、その電気機器が、チャンネル部からの内方への突出量を少なくしているため、極力、影を作らず、その結果、ＬＥＤが、安定して、前後の表示板を、均整度良く照明できる。
【００２２】
また、道路上を照らすための照明部が、全体を前記標識本体から下方に突出させて、前記下壁部に取着され、前記照明部はＬＥＤを光源とすることが好ましい。
【００２３】
これによれば、道路用の照明についても、長寿命となってメンテナンス量を削減できるとともに、省エネルギー効果を更に高めることができる。勿論、照明部自体が、電源部等を除いて、標識本体から突出しており、前後の表示板に、極力、影を映さずに、配置することができる。
【００２４】
さらに、前記照明部が、前記下壁部の下面側に配置された自在継手手段を介して、前記下壁部の下面側に取着されていることが好ましい。
【００２５】
これによれば、照明部の照明角度を調整可能であるので、横断歩道や自転車横断帯から多少離れた場所に設置された場合にも、横断歩道や自転車横断帯を照明することができる。
【発明の効果】
【００２６】
本発明によれば、横断歩道・自転車横断帯用の大型ＬＥＤ内照式道路標識において、消費電力量を削減可能であり、高い省エネルギー効果を得られる。
【図面の簡単な説明】
【００２７】
【図１】本発明の一実施形態に係る横断歩道・自転車横断帯用ＬＥＤ内照式道路標識の正面図である。
【図２】同道路標識の前壁部及び後壁部を除いた正面図である。
【図３】図１のIII-III線断面図である。
【図４】図２のIV矢視図である。
【図５】図４のＶ−Ｖ線断面図である。
【図６】図２のVI矢視図である。
【図７】図６のVII−VII線断面図である。
【図８】図２のVIII矢視図である。
【図９】図８のIX−IX線断面図である。
【図１０】図２のＸ矢視図である。
【図１１】図１０のXI−XI線断面図である。
【図１２】同道路標識の底面図である。
【図１３】同道路標識の照明部を含む要部斜視図である。
【図１４】図１３の分解斜視図である。
【図１５】同照明部の長手方向に沿った断面図であり、図３のXV−XV線断面図である。
【図１６】同照明部の短手方向に沿った断面図であり、図２の XVI− XVI線断面図である。
【図１７】同照明部のカバー部及びレンズ部を示す底面図である。
【図１８】実施形態の電気機器の配線の概略を説明する説明図である。
【図１９】実験における照度の測定箇所を示す図である。
【発明を実施するための形態】
【００２８】
以下、本発明の一実施形態を図面に基づいて説明する。
【００２９】
図１に示すように、道路標識１は、横断歩道や自転車横断帯に用いられる横断歩道・自転車横断帯用道路標識であり、道路標識、区画線及び道路標示に関する命令（昭和３５年１２月１７日総理府・建設省令第３号）別表第２に示された規格「４０７−Ａ」、「４０７の２」、「４０７の３」における五角形の各寸法を、１．５倍した大きさの筐体状の標識本体２と、標識本体２の下方に突出するように標識本体２の下部に設けられた２つの照明部７６とを備えている。正面視における標識本体２の各寸法は、図１に示すＡ＝９０cm、Ｂ＝３０cm、Ｃ＝９０cmとされ、標識本体２の厚み（前後方向の幅）は２０cmとされている。
【００３０】
図２，３に示すように、標識本体２は、遮光性を有する材料（ここでは、金属。具体的にはアルミニウム。）で形成された断面五角形状の筒形状の周壁部３と、周壁部３の前方開口部を閉塞する五角形状の前壁部６０と、周壁部３の後方開口部を閉塞する五角形状の後壁部６５と、を備えて構成されている。周壁部３の断面外周、前壁部６０の外周、及び、後壁部６５の外周がそれぞれなす五角形の各寸法は、上述した正面視における標識本体２の各寸法と同等である。周壁部３の外面には、連結管Ｔが取着されている。連結管Ｔは、例えば道路脇に立設された柱Ｐと道路標識１とを連結するためのものである。
【００３１】
前壁部６０は、五角形状の環状とした金属製の枠体６１と、枠体６１に装着されて、枠体６１が形成する五角形状の開口部を閉塞する五角形状の表示板６２とを備え、枠体６１の内側には、標識本体２を閉塞したときの水密性を高めるためのシール部材６３が枠体６１に沿って設けられている。表示板６２は、合成樹脂製で光透過性を有し、規格で定められた色及び図柄を有している。
【００３２】
後壁部６５は、前壁部６０と同じ構成を有し、五角形状の環状とした金属製の枠体６６と、枠体６６に装着されて、枠体６６が形成する五角形状の開口部を閉塞する五角形状の表示板６７とを備え、枠体６６の内側にはシール部材６８が枠体６６に沿って設けられている。表示板６７は、合成樹脂製で光透過性を有し、規格で定められた色及び図柄を有している。
【００３３】
周壁部３は、略矩形板状の下壁部４と、下壁部４の左右の側端部からそれぞれ下壁部４に対して垂直に立ち上がる略矩形板状の左側壁部５及び右側壁部６と、左側壁部５の上端部及び右側壁部６の上端部からそれぞれ斜め上方に互いに近付くように延設されて、上端部７ａ，８ａが互いに連結された略矩形板状の左上壁部７及び右上壁部８とから構成されている。
【００３４】
この周壁部３は、外面側の略五角形の筒状とした枠本体１１を備えて構成され、枠本体１１は、前後方向に沿って板状に形成される本体壁部１２と、本体壁部１２の前後両縁に配置されて、標識本体２の内方へ突出する断面逆Ｕ字状のチャンネル部１３と、を備えて形成されている。本体壁部１２は、略五角形の筒状とし、チャンネル部１３，１３は、略五角形の環状として、本体壁部１２の剛性を高める補強リブのような機能を奏している。
【００３５】
前壁部６０及び後壁部６５は、下壁部４に複数の蝶番５７で連結されて下壁部４に対して揺動可能であり、前壁部６０及び後壁部６５が、周壁部３の前方開口部及び後方開口部を閉塞した状態で、左上壁部７及び右上壁部８に設けられた複数の留め具５８（図１参照）で周壁部３に固定されることにより、標識本体２は密閉状態となる。
【００３６】
なお、周壁部３の各チャンネル部１３は、標識本体２の内方へ突出した横壁１４と、横壁１４の内側の縁から本体壁部１２に連なるように延びる内縦壁１５と、横壁１４の外側の縁から標識本体２の外方に延びる外縦壁１６と、を備えた断面逆Ｕ字状として構成されている。そして、外縦壁１６は、前壁部６０と後壁部６５とを、留め具５８を利用して、周壁部３に固定した際、各シール部材６３，６８を圧接させて、標識本体２内を密閉するシール部位としている（図５参照）。また、横壁１４は、図５，９，１１に示すように、後述する光反射材２１、取付ブラケット３５、取付プレート４１，４４の取付座としての役目を果たしている。
【００３７】
そして、周壁部３の内面には、略全周に亘って、光の反射率を向上させる光反射材２１が、幅（標識本体２の前後方向における長さ）を枠本体１１の幅寸法より若干小さな１５０ｍｍとして、配設されている。光反射材２１は、実施形態の場合、アルミニウムからなる剛性を有した基板２２と、基板２２の内面側に塗布されてなる白色の光反射層２３と、から構成されている（図５参照）。なお、光反射層２３は、実施形態のように、光を標識本体２の内方に向けて反射し易いように、白色塗装から形成する他、フィルム等から形成してもよい。例えば、反射フィルムとしては、住友スリーエム社製「３Ｍ（登録商標）スコッチカル（登録商標）ライトエンハンスメントフィルム」を用いてもよい。
【００３８】
この光反射材２１は、図２に示すように、実施形態の場合、左上壁部７と右上壁部８との上端部７ａ，８ａ付近の内面側に配置される断面逆Ｖ字形状の光反射材２１Ｔと、この光反射材２１Ｔから連なって下方に延びて、左上壁部７と右上壁部８との内面側に配置される矩形板状の光反射材２１Ｌ，２１Ｒと、下壁部４の内面側に配置される矩形板状の光反射材２１Ｄと、から構成されている。これらの光反射材２１Ｔ，２１Ｌ，２１Ｒ，２１Ｄには、前後両縁に、ねじ１８を挿通させる所定数の取付孔２１ａ（図３参照）が配設され、一方、周壁部３のチャンネル部１３の横壁１４の所定位置には、ねじ１８を螺合させるナット（ブラインドナット）１７が取り付けられている。そして、これらの光反射材２１Ｔ，２１Ｌ，２１Ｒ，２１Ｄは、ねじ１８が取付孔２１ａを経てナット１７に締結されることにより、周壁部３の内面側に、光反射層２３ａを向けて、周壁部３（枠本体１１）に取り付けられている。
【００３９】
また、各光反射材２１Ｌ，２１Ｒ，２１Ｄには、前後方向の中央付近に、後述するＬＥＤ基板２８，２９，３０を取り付けるための複数のナット（ブラインドナット）２５が配設されている（図５参照）。さらに、光反射材２１Ｌには、図４，５に示すように、下方の後縁側に、後述する電気機器４７の受信機４８を設けるための挿通孔２１ｂが配設され、光反射材２１Ｄにも、図６，７に示すように、左方の後縁側に、後述する電気機器４７の内照用電源部４９を設けるための挿通孔２１ｃが配設されている。
【００４０】
光反射材２１（２１Ｌ，２１Ｒ，２１Ｄ）の内面側には、周壁部３の周方向に沿って、部分的に（すなわち、全周には亘らず）複数のＬＥＤ２７が配列されている。ＬＥＤ２７は、指向角１２０°の白色系の高出力ＬＥＤであり、ここでは、日亜化学工業株式会社製白色チップタイプＬＥＤ「ＮＳＳＷ１２３Ｂ」を用いており、ＬＥＤ３個直列でＤＣ１２Ｖ入力で１Ｗ相当であり、電流は約８３ｍＡである。なお、ＬＥＤ２７としては、これ以外にも指向角１１０〜１３０°の範囲内の白色系ＬＥＤで、高光束のものであればよく、好ましくは、光束が初期特性において２０ｌｍ（ｌｍ：ルーメン）以上のものがよく、さらに好ましくは、２０〜２５ｌｍの範囲内ものがよい。初期特性において光束が２０ｌｍ以上であれば、標識を認識させるのに十分な照度を得られるからであり、初期特性において光束が２０〜２５ｌｍの範囲内であれば、標識を認識させるのに十分な照度を得られるとともに、消費電力量の増加を抑制できるからである。
【００４１】
また、各ＬＥＤ２７は、ＬＥＤ基板２８，２９，３０に並設されて、光反射材２１Ｌ，２１Ｒ，２１Ｄに配設されている。そして、各ＬＥＤ基板２８，２９，３０は、光反射材２１に埋設されたナット２５にねじ３２止めされる逆Ｕ字形の取付ブラケット３１に押えられて、所定の光反射材２１Ｌ，２１Ｒ，２１Ｄに、配設されている。なお、各ＬＥＤ２７は、ＬＥＤ基板２８，２９，３０の配置面２８ａ，２９ａ，３０ａから突出するように配置されるとともに、上面側（内面側）の透明なポリカーボネイト等の合成樹脂からなるカバー２８ｂ，２９ｂ，３０ｂに覆われて、配置されている（図２，３，５参照）。
【００４２】
そして、左上壁部７の光反射材２１Ｌの内面側には、細長い矩形状のＬＥＤ基板２８が、左上壁部７の短手方向（前後方向）における中央部に（図３，４参照）、左上壁部７の長手方向に沿って取着されている。ＬＥＤ基板２８には、９個のＬＥＤ２７が、ＬＥＤ基板２８の長手方向に沿って直線的に並設されている。ＬＥＤ基板２８上の最上位のＬＥＤ２７の位置（中心位置。以下同じ。）は、左上壁部７の内面側の上端部７ａから左上壁部７に沿って３００ｍｍ下がった位置（すなわち、図２のＤ１＝３００ｍｍ）であり、基板２８上の隣り合うＬＥＤ２７の中心同士の間隔はいずれも３０．５ｍｍ（すなわち、図２のＤ＝３０．５ｍｍ）である。すなわち、左上壁部７の内面側には、上端部７ａから左上壁部７に沿って３００ｍｍ下がった位置から、９個のＬＥＤ２７が、左上壁部７の短手方向における中央部に、左上壁部７の長手方向に沿って直線的に、並設されている。
【００４３】
右上壁部８にも左上壁部７と同様にＬＥＤ２７が並設されている。すなわち、右上壁部８の光反射材２１Ｒの内面側には、ＬＥＤ基板２８と同様に構成された細長い矩形状のＬＥＤ基板２９が、右上壁部８の短手方向（前後方向）における中央部に、右上壁部８の長手方向に沿って取着されている。ＬＥＤ基板２９には、９個のＬＥＤ２７が長手方向に沿って直線的に並設され、基板２９上の最上位のＬＥＤ２７の位置は、右上壁部８の内面側の上端部８ａから右上壁部８に沿って３００ｍｍ下がった位置（すなわち、図２のＤ２＝３００ｍｍ）であり、基板２９上の隣り合うＬＥＤ２７の中心同士の間隔はいずれも３０．５ｍｍである。すなわち、右上壁部８の内面側には、上端部８ａから右上壁部８に沿って３００ｍｍ下がった位置から、９個のＬＥＤ２７が、右上壁部８の短手方向における中央部に、右上壁部８の長手方向に沿って直線的に並設されている。
【００４４】
また、下壁部４の光反射材２１Ｄの内面側には、細長い矩形状のＬＥＤ基板３０が、下壁部４の短手方向（前後方向）における中央部に（図６参照）、下壁部４の長手方向に沿って取着されている。ＬＥＤ基板３０には、２１個のＬＥＤ２７が長手方向に沿って直線的に並設されている。そして、ＬＥＤ基板３０上のＬＥＤ２７のうち中央のＬＥＤ２７は、下壁部４の中央部４ａに配置され、基板３０上の隣り合うＬＥＤ２７の中心同士の間隔はいずれも３０．５ｍｍとされている。すなわち、中央部４ａに１個のＬＥＤ２７が配置され、その両側に１０個ずつのＬＥＤ２７が等間隔で配設されて、２１個のＬＥＤ２７が、下壁部４の中央部４ａから左右対称的に並設されている。なお、ＬＥＤ２７同士の間隔は、左右で対称的になるのであれば、等間隔でなくてもよい。また、ＬＥＤ基板３０上のＬＥＤ２７が偶数個の場合には、中央部４ａにはＬＥＤ２７は配置されない。
【００４５】
また、標識本体２内には、道路標識用のＬＥＤ２７以外の複数の電気機器４７が、内蔵されている。実施形態の場合、電気機器４７としては、夜間の人の接近を検知した人センサーからの信号を受信する受信機４８、ＬＥＤ２７を点灯させる内照用電源部４９、ブレーカ５０、端子台５１、照明部７６，７６を点灯させる外照用電源部５３が例示できる。なお、人センサーは、柱Ｐの下方付近の図示しないエリアに配設されている。
【００４６】
そして、受信機４８は、図２〜５に示すように、取付ブラケット３５を利用して、周壁部３における左上壁部７の枠本体１１に、固定されている。取付ブラケット３５は、断面逆Ｕ字状として、光反射材２１Ｌとその近傍の枠本体１１の横壁（取付座）１４とに、ねじ３６止めされ、そのねじ３６止め時、受信機４８を本体壁部１２側に押えて、受信機４８を左上壁部７に固定させている。なお、ねじ３６は、光反射材２１Ｌに設けられたねじ孔２１ｄと枠本体１１の横壁１４に設けられたナット（ブラインドナット）１７に螺着されるように構成されている。
【００４７】
左上壁部７の内面側に固定された受信機４８は、チャンネル部１３の内面１４ａからの突出量を抑制するように、外面４８ｂ側を、チャンネル部１３の内面１４ａより本体壁部１２の内面１２ａに接近させるように配置させて、周壁部３の枠本体１１に取り付けられている。なお、受信機４８は、その厚さをチャンネル部１３の本体壁部１２からの高さ寸法より、大きくしていることから、内面４８ａ側を、光反射材２１Ｌの挿通孔２１ｂから標識本体２の内方に、僅かに、突出させて、配設されている。そして、受信機４８は、取付ブラケット３５を含めた光反射材２１Ｌからの突出高さＰ１を、ＬＥＤ基板２８の配置面２８ａ付近の高さ寸法と同等、若しくは、小さいとして、表示板６２，６７に影を映さないように、配設されている。ちなみに、実施形態では、受信機４８は、取付ブラケット３５を含めた光反射材２１Ｌからの突出高さＰ１を、ＬＥＤ基板２８の配置面２８ａ付近の高さ寸法と同等として、約１２ｍｍとしている（図５参照）。
【００４８】
左側壁部５の下部の内面側には、図２，８，９に示すように、ブレーカ５０と端子台５１とが、取付プレート４１を利用して、固定されている。取付プレート４１は、アルミニウム等の金属板からなる断面Ｕ字形として、前後両縁に、ねじ１８を挿通させる複数の取付孔４１ａが形成され、底部に、ブレーカ５０と端子台５１とをねじ４２止めするねじ孔４１ｂを設けている。各ねじ１８は、取付孔４１ａを経て、左側壁部５の横壁１４に設けたナット１７に締結される。そして、このねじ１８止めにより、取付プレート４１が、枠本体１１に固定され、ねじ４２止めにより、ブレーカ５０と端子台５１とが、取付プレート４１に取着され、その結果、ブレーカ５０と端子台５１とが、取付プレート４１を介して、左側壁部５の内面側に固定される。取付プレート４１は、内面側を、ＬＥＤ２７の光を反射し易いように、白色塗装されている。
【００４９】
これらのブレーカ５０や端子台５１も、チャンネル部１３の内面１４ａからの突出量を抑制するように、中央を凹ませた断面Ｕ字形の取付プレート４１を利用して、左側壁部５に取り付けられる構成としており、外面５０ｂ，５１ｂ側を、チャンネル部１３の内面１４ａより本体壁部１２の内面１２ａに接近させるように配置させて、周壁部３の枠本体１１に取り付けられている。なお、ブレーカ５０や端子台５１は、取付プレート４１を利用して左側壁部５に取り付けられた状態で、内面５０ａ，５１ａをチャンネル部１３の内面１４ａより、僅かに、内方に突出させている。そして、それらのブレーカ５０におけるチャンネル部１３の内面１４ａからの突出高さＰ２や、端子台５１におけるチャンネル部１３の内面１４ａからの突出高さＰ３が、表示板６２，６７にブレーカ５０や端子台５１の影を映さない寸法としている（図９参照）。
【００５０】
右側壁部６の内面側には、図２，１０に示すように、照明部７６，７６の各ＬＥＤ８０にＤＣ４４Ｖの電流を供給するための略直方体状の外照用電源部５３，５３が、取付プレート４４を利用し、各電源部５３の長手方向を上下に沿わせて、固定されている。取付プレート４４は、アルミニウム等の金属板からなる断面Ｕ字形として、前後両縁に、ねじ１８を挿通させる複数の取付孔４４ａが形成され、底部に、各外照用電源部５３をナット４５止めするねじ４４ｂを突設させている。各ねじ１８は、取付孔４４ａを経て、右側壁部６の横壁１４に設けたナット１７に締結される。そして、このねじ１８止めにより、取付プレート４４が、枠本体１１に固定され、ナット４５止めにより、電源部５３，５３が、取付プレート４４に取着され、その結果、電源部５３，５３が、取付プレート４４を介して、右側壁部６の内面側に固定される。取付プレート４４は、取付プレート４１と同様に、内面側を、ＬＥＤ２７の光を反射し易いように、白色塗装されている。
【００５１】
なお、外照用電源部５３，５３におけるチャンネル部１３の内面１４ａからの突出高さＰ４も、表示板６２，６７に外照用電源部５３の影を映さない寸法としている（図１１参照）。
【００５２】
下壁部４の内面側には、図２，６，７に示すように、各ＬＥＤ２７にＤＣ１２Ｖの電流を供給するための略直方体状の内照用電源部４９が、取付プレート３８を利用し、電源部４９の長手方向を左右（下壁部４の長手方向）に沿わせて、固定されている。内照用電源部４９の取付位置は、前端面が下壁部４の短手方向における中央から３０ｍｍ後方（あるいは、後端面が下壁部４の短手方向における中央から３０ｍｍ前方）に離れ、かつ、右端面が右側壁部６の内面から１５０ｍｍ左となるような位置である。
【００５３】
取付プレート３８は、下壁部４に設けられたＬＥＤ基板３０の後方側における枠本体１１の本体壁部１２に、左右方向に沿って、溶接されている。詳しくは、取付プレート３８は、アルミニウム等の金属板から形成され、左右方向の中間部位を、本体壁部１２から内方に浮かせて、左右両端を本体壁部１２の内面に溶接させている。取付プレート３８の本体壁部１２から内方に浮かせた部位の左右両端付近には、ねじ孔３８ａが設けられている。る。各ねじ孔３８ａには、内照用電源部４９の両端を取付プレート３８に取り付けるねじ３９が、締結される。そして、電源部４９が、取付プレート３８にねじ３９止めされることにより、下壁部４に固定されている。
【００５４】
下壁部４の内面側に固定された内照用電源部４９は、チャンネル部１３の内面１４ａからの突出量を抑制するように、外面４９ｂ側を、チャンネル部１３の内面１４ａより本体壁部１２の内面１２ａに接近させるように配置させて、周壁部３の枠本体１１に取り付けられている。なお、電源部４９は、その厚さをチャンネル部１３の本体壁部１２からの高さ寸法と略同等としているものの、本体壁部１２から浮いた取付プレート３８の部位に、取り付けられていることから、内面４９ａ側を、光反射材２１Ｄの挿通孔２１ｂから標識本体２の内方に、僅かに、突出させて、配設されている。この電源部４９も、受信機４８と同様に、ＬＥＤ基板３０の配置面３０ａ付近の高さ寸法と同等、若しくは、小さいとして、表示板６２，６７に影を映さないように、配設されている（図３参照）。ちなみに、実施形態では、電源部４９は、光反射材２１Ｄからの突出高さＰ５を、配置面３０ａ付近の高さ寸法と同等として、約１２ｍｍとしている（図７参照）。
【００５５】
外照用電源部５３，５３及び内照用電源部４９は、いずれも、外部の交流電源に接続されて、それらの交流電源を直流電源に変換して、ＬＥＤ２７，８０（ＬＥＤ８０は、照明部７６のものである）に電流を供給している。
【００５６】
なお、図１８に示すように、柱Ｐ側における外部のＡＣ電源が、柱Ｐ側に設けられた図示しない昼夜判別回路を経て、標識本体２内のブレーカ５０まで接続される。そして、各ＬＥＤ基板２８，２９，３０の各ＬＥＤ２７には、内照用電源部４９を経て、通電され、各ＬＥＤ８０には、外照用電源部５３，５３と受信機４８とを経て、通電される。各ＬＥＤ２７は、昼夜判別回路により、夜間に通電されるとともに、さらに、人センサーからの人の接近を検知した信号を受信機４８が受信したことを条件として、点灯することとなる。すなわち、各ＬＥＤ２７は、夜間になれば点灯し、各ＬＥＤ８０は、夜間で、かつ、人の接近したときに、点灯することとなる。実施形態の場合、受信機４８は、電源を内照明用電源部４９から供給されている。
【００５７】
また、ブレーカ５０は、夜間のメンテナンス時に、通電をOFFできるように、手動で電源をON・OFFできるスイッチを配設させている。
【００５８】
そして、各照明部７６は、図１２〜１４に示すように、下壁部４に自在継手手段７０を介して取着されている。自在継手手段７０は、下壁部４の短手方向の両端部から下方に互いに対向して突出する突出片７１，７１と、平面視において横長矩形状の枠体７２と、断面Ｌ字形状の連結具７３，７３と、を有している。そして、枠体７２の左右方向に沿った長辺部７２ａ，７２ａには、長手方向の中央部から上方に、互いに対向する突出部７２ｂ，７２ｂが突設され、突出部７２ｂ，７２ｂは、突出片７１，７１にねじ止めされている。そして、それらのねじを緩めることにより、枠体７２は標識本体２に対して左右方向（図１３，１４の矢印Ａ１方向）に揺動可能となり、枠体７２が揺動した状態で再びねじを締めることにより、枠体７２を下壁部４に対して傾いた状態に固定できる。また、枠体７２の前後方向に沿った短辺部７２ｃ，７２ｃには、長手方向の中央部から上方に、突出部７２ｂ，７２ｂよりも短い高さで互いに対向して突出する突出部７２ｄ，７２ｄが突設され、突出部７２ｄ，７２ｄに、連結具７３，７３がねじ止めされて、連結具７３，７３に照明部７６が連結されている。そして、突出部７２ｄ，７２ｄと連結具７３，７３とを連結しているねじを緩めることにより、照明部７６は、枠体７２に対して前後方向（図１３，１４の矢印Ａ２方向）に揺動可能となり、照明部７６が揺動した状態で再びねじを締めることにより、照明部７６を枠体７２に対して傾いた状態に固定できる。したがって、照明部７６は、前後方向（図１３のＸ軸周り方向）及び左右方向（図１３のＹ軸周り方向）の照明角度を調整可能である。
【００５９】
照明部７６は、図１３〜１６に示すように、連結具７３，７３に連結されるアルミニウム製のハウジング７７と、ハウジング７７の下面に取着された複数（ここでは、３個）のＬＥＤ基板７９と、各ＬＥＤ基板７９に配置されたＬＥＤ８０を覆う硝子製のレンズ部８１と、各ＬＥＤ基板７９及び各レンズ部８１を覆う合成樹脂製（ここでは、ポリカーボネート製）のカバー８２と、を有している。また、各ＬＥＤ基板７９は、合成樹脂製の基板カバー部９０でも覆われている。ハウジング７７には、上方に突出する複数の放熱フィン７８が形成され、各ＬＥＤ基板７９で発生した熱は放熱フィン７８により外部に放出される。
【００６０】
また、ハウジング７７には、それぞれ上方に開口する水蒸気抜き孔８３及び配線挿通孔８４が形成されている。水蒸気抜き孔８３には、合成樹脂製のキャップ８６が被せられている。キャップ８６は、内側に防水通気性を有するゴアテックス（登録商標）製のパッキング部８５が設けられた二重構造とされ、パッキング部８５が水蒸気抜き孔８３に嵌合されて、パッキング部８５とキャップ８６の外壁部分との間には通気道が形成されている。これにより、内外の気温差等で照明部７６の内部（カバー８２で覆われた部分）に発生した水蒸気が、水蒸気抜き孔８３から放出され、カバー８２が曇り難くなる。配線挿通孔８４には、合成樹脂製の嵌合部材８９が嵌合されて、嵌合部材８９に設けられた貫通孔８８を通って配線８７が外部に延設され、配線８７は、標識本体２内の外照用電源部５３または外照用電源部５４に接続される。
【００６１】
各ＬＥＤ基板７９には、ＬＥＤ８０が１つずつ配置され、ＬＥＤ８０は、各レンズ部８１に形成されたレンズ８１ａで下方から覆われている。レンズ８１ａは、内面及び外面のいずれも下方に向けて凸（すなわち、ＬＥＤ８０側に凹）とされたメニスカスレンズであるため、ＬＥＤ８０から発射された光を広角に広げて配光することができる。また、図１７に示すように、レンズ８１ａは、底面視において前後方向の幅が左右方向の幅よりも長い長円形状をなしている。
【００６２】
本実施形態のＬＥＤ８０は、クリー社製のもので、順電圧ＤＣ４４Ｖ、順電流４００ｍＡ、光束１１３０ｌｍ、中心光度１０００ｃｄ、消費電力１６Ｗ、照射角４０°の高出力ＬＥＤである。なお、本実施形態では、１つの照明部７６に３個のＬＥＤ８０を配置したが、２個でもよい。隣り合うＬＥＤ８０の中心同士の間隔は、３個の場合は４０ｍｍ、２個の場合は８０ｍｍとする。本実施形態では３個で４０ｍｍである。
【００６３】
以上のように構成された道路標識１は、横断歩道や自転車横断帯付近に立設された柱Ｐ等に連結されて、横断歩道等の上方に配置される。そして、夜間、外部の電源から内照用電源部４９を介して電流が各ＬＥＤ２７に流れて、各ＬＥＤ２７が点灯し標識本体２の内側から表示板６２及び表示板６７を照明する。また、外部の電源から外照用電源部５３，５３を介して電流が各ＬＥＤ８０に流れて、各ＬＥＤ８０が点灯し道路を照明することとなる。なお、実施形態では、既述したように、昼夜判別回路により、夜間に各ＬＥＤ２７が点灯し、さらに、夜間で、かつ、人センサーによって人の存在を検出したとき、各ＬＥＤ８０が点灯することとなる。
【００６４】
次に、周壁部３の内面側におけるＬＥＤ２７の配列を変えて行った実験について、表１に基づいて説明する。なお、用いたＬＥＤ２７は実施形態と同じものであり、光反射材２１も実施形態と同じものを使用して、その上にＬＥＤ２７を配置している。以下、実験における各形態について、実施形態と同じ符号を用いて説明する。表１のNo.１〜８の形態は、それぞれ次の通りである。なお、ＬＥＤ２７は、周壁部３の幅方向（前後方向）の中央部に、周壁部３の周方向に沿って直線的に並設し、並設されたＬＥＤ２７の中心同士の間隔は、No.７を除いていずれも３０ｍｍである。
【００６５】
〈No.１〉右上壁部８に上端部８ａ付近から２４個、左上壁部７に上端部７ａ付近から２４個のＬＥＤ２７を並設し、下壁部４にはＬＥＤ２７を設けなかった。
【００６６】
〈No.２〉右上壁部８及び左上壁部７はNo.１と同じとし、下壁部４に左右対称的に２４個のＬＥＤ２７を並設した。
【００６７】
〈No.３〉右上壁部８に上端部８ａから右上壁部８に沿って２０ｃｍ下がった位置から９個、左上壁部７に上端部７ａから左上壁部７に沿って２０ｃｍ下がった位置から９個、下壁部４に左右対称的に２４個のＬＥＤ２７を並設した。
【００６８】
〈No.４〉右上壁部８に上端部８ａから右上壁部８に沿って３０ｃｍ下がった位置から９個、左上壁部７に上端部７ａから左上壁部７に沿って３０ｃｍ下がった位置から９個、下壁部４に左右対称的に２４個のＬＥＤ２７を並設した。
【００６９】
〈No.５〉右上壁部８に上端部８ａから右上壁部８に沿って２０ｃｍ下がった位置から９個、左上壁部７に上端部７ａから左上壁部７に沿って３０ｃｍ下がった位置から９個、下壁部４に左右対称的に２４個のＬＥＤ２７を並設した。
【００７０】
〈No.６〉左上壁部７及び右上壁部８はNo.４と同じとし、下壁部４は、No.４の２４個のＬＥＤ２７のうち、左右両端部の３個ずつ計６個を黒テープで覆うことにより、左右対称的に１８個のＬＥＤ２７を並設した。
【００７１】
〈No.７〉左上壁部７及び右上壁部８はNo.４と同じとし、下壁部４は、No.４の２４個のＬＥＤ２７のうち、左右両端から２個目、６個目、１０個目の３個ずつ計６個を黒テープで覆うことにより、左右対称的に１８個のＬＥＤ２７を並設した。
【００７２】
〈No.８〉左上壁部７及び右上壁部８はNo.４と同じとし、下壁部４は、No.４の２４個のＬＥＤ２７のうち、左端部の２個及び右端部の１個の計３個を黒テープで覆うことにより、２１個のＬＥＤ２７を並設した。
【００７３】
表１に、No.１〜８の形態としたときのワット数（Watt）、ボルトアンペア（VA）、及び、図１８に示す(1)〜(11)（なお、図１８及び表１では丸付き数字で表記している。）の各箇所において照度計を用いて測定した照度（単位ｌｘ）を示す。なお、No.６〜８はワット数及びボルトアンペアの測定を行っていないが、No.３〜５よりもＬＥＤ２７の数が少ないことから、ワット数及びボルトアンペアも少なくなると予想される。
【００７４】
視認性の点からは、各箇所の照度は４００ｌｘ以上あることが望ましいが、照度が多少低くても全体の均整度（明るさの均一性）がよい方が、標識を認識し易い。No.１は、表示板６２の上部は明るいが下部が暗く、均整度がよくない。また、全周に亘ってＬＥＤ２７を配置したNo.２は、照度が高く均整度もよいが、ワット数が大きく省エネルギー効果が小さい。一方、No.６、７の場合、数字的な照度はよいが、実際に見たときの均整度は若干劣っていた。最も少ない数のＬＥＤ２７で均整度がよかったものは、No.８であった。したがって、実施形態は、No.８の形態において、より均整度を向上させるために、下壁部４におけるＬＥＤ２７の配置を左右対称的にしたものとした。また、No.３〜５も、ＬＥＤ２７の数がNo.８よりは多いもののNo.２よりは少ないためワット数が小さく、均整度もよかった。
【００７５】
この実験から、右上壁部８及び左上壁部７におけるＬＥＤ２７の上端位置を、上端部８ａ及び上端部７ａからそれぞれ２００〜３００ｍｍの範囲内の所定距離下がった位置としても、均整度よく表示板６２，６７を照らすことができることが分かる。なお、ＬＥＤ２７の上端位置は、上端部７ａ及び上端部８ａから３２０ｍｍ程度まで下げても、均整度は悪化しないと推測できる。また、ＬＥＤ２７の間隔も、この実験では３０ｍｍとしたが、中心同士の間隔が３０〜４０ｍｍの範囲内であれば、均整度よく表示板６２，６７を照らすことができると推測できる。また、No.６，７では、均整度は若干劣っていたものの、左上壁部７及び右上壁部８のＬＥＤ２７の数を増やせば、均整度は改善できるため、下壁部４におけるＬＥＤ２７の配置個数は少なくとも１８個あればよいことが分かる。但し、左上壁部７及び右上壁部８のＬＥＤ２７の数は、上端部８ａ及び上端部７ａからそれぞれ２００〜３２０ｍｍの範囲内の所定距離下がった位置から配置した場合、均整度及び省エネルギーの観点から１２個までが適当と推測される。
【００７６】
以上の実験から、ＬＥＤ２７は周壁部３の内面側に全周に亘って設けなくても、部分的に配置することにより、表示板６２及び表示板６７に均整光を照射可能であることが分かった。そして、ＬＥＤ２７を部分的に設けることにより、ＬＥＤ２７の数を少なくして、省エネルギー効果を高めることができる。
【００７７】
また、少なくとも、左側壁部５及び右側壁部６には、ＬＥＤ２７を配置しなくても、均整光が得られることが分かった。左側壁部５及び右側壁部６にＬＥＤ２７を配置しなければ、左側壁部５及び右側壁部６を外照用電源部５３等の機器の設置場所として利用でき、また、左側壁部５や右側壁部６に機器を設置すれば、機器の影が表示板６２や表示板６７に映ってしまうことを防止できる。
【００７８】
そして、ＬＥＤ２７を、下壁部４の内面側には、３０〜４０ｍｍの範囲内の間隔（隣り合うＬＥＤ２７の中心同士の間隔。以下同じ。）で、少なくとも１８個（望ましくは１８〜２４個の範囲、より望ましくは２１個）、下壁部４の中央部４ａから左右対称的に、かつ、下壁部４の短手方向における中央部に、下壁部４の長手方向に沿って直線的に並設し、左上壁部７の内面側には、上端部７ａから左上壁部７に沿って２００〜３２０ｍｍの範囲内の所定距離下がった位置から、３０〜４０ｍｍの範囲内の間隔で、少なくとも９個（望ましくは９〜１２個、より望ましくは９個）、左上壁部７の短手方向における中央部に、左上壁部７の長手方向に沿って直線的に並設し、右上壁部８の内面側には、上端部８ａから右上壁部８に沿って２００〜３２０ｍｍの範囲内の所定距離下がった位置から、３０〜４０ｍｍの範囲の間隔で、少なくとも９個（望ましくは９〜１２個、より望ましくは９個）、右上壁部８の短手方向における中央部に、右上壁部８の長手方向に沿って直線的に並設すれば、大型の道路標識１においても、均整度よく表示板６２，６７を照らすことができ、しかも、ＬＥＤ２７が少数なので消費電力量を削減可能である。
【００７９】
さらに、実施形態のようにＬＥＤ２７を配列すれば、最小限のＬＥＤ２７で均整度よく表示板６２及び表示板６７を照らすことができ、消費電力量を大幅に削減可能であって、高い省エネルギー効果を得られる。
【００８０】
なお、道路標識１では、各照明部７６の光源もＬＥＤ８０とされており、従来の水銀灯やナトリウム灯に比較して、消費電力が少なくなって省エネルギー効果をさらに高めることができ、光源の交換頻度も少なくなりメンテナンス量を削減できる。そして、ＬＥＤ８０からの光は、レンズ８１ａによって広角に配光されるため、広い範囲を照らすことができる。さらに、各照明部７６は、自在継手手段７０を介して標識本体２に取着されており、前後方向及び左右方向に角度を調整可能であるため、横断歩道や自転車横断帯から多少離れた場所に設置された場合にも、照明角度を調整することにより、横断歩道や自転車横断帯を照明することができる。
【００８１】
さらにまた、この道路標識１では、照明部７６自体が、電源部５３，５３等を除いて、標識本体２から下方へ突出しており、前後の表示板６２，６７に、極力、影を映さずに、配置することができる。
【００８２】
なお、ＬＥＤ２７の配列は、均整度を損なわない範囲で適宜変更可能であるが、少なくとも、左上壁部７の上端部７ａから左上壁部７に沿って２００ｍｍ下がった位置までの範囲、及び、右上壁部８の上端部８ａから右上壁部８に沿って２００ｍｍ下がった位置までの範囲には、ＬＥＤ２７を配置しないことが望ましい。これらの範囲にＬＥＤ２７を配置しなくても、表示板６２，６７を均整度よく照明することは可能であり、その分ＬＥＤ２７の数を減らして省エネルギー効果を高めることができるからである。
【００８３】
また、左側壁部５及び右側壁部６にはＬＥＤ２７を配置しないことが望ましい。これらの部位にＬＥＤ２７を配置しなくても、表示板６２，６７を均整度よく照明することは可能であり、その分ＬＥＤ２７の数を減らして省エネルギー効果を高めることができるとともに、それらの部位を外照用電源部５３等の機器の設置場所として利用でき、さらに、機器の影が表示板６２，６７に映らないように機器を設置できるからである。
【００８４】
特に、実施形態では、周壁部３が、外面側の略五角形の筒状とした枠本体１１を備え、枠本体１１が、前後方向に沿って板状に形成される本体壁部１２と、本体壁部１２の前後両縁に配置されて、標識本体２の内方へ突出する断面逆Ｕ字状のチャンネル部１３と、を設けて構成されてている。そして、光反射材２１が、剛性を有した板状の基板２２と基板２２の内面に設けた光反射層２３とから構成され、周壁部３の前後のチャンネル部１３における内方へ突出した内面１４ａ側を取付座１４として、チャンネル部１３に取り付けられている。さらに、複数のＬＥＤ２７がＬＥＤ基板２８，２９，３０に並設されて、各ＬＥＤ基板２８，２９，３０が、光反射材２１の内面側に、取り付けられている。そして、標識本体２に内蔵される道路標識用のＬＥＤ２７以外の複数の電気機器４７、すなわち、受信機４８、電源部４９，５３、ブレーカ５０、端子台５１が、それぞれ、チャンネル部１３の内面１４ａからの突出量を抑制するように、外面４８ｂ，４９ｂ，５０ｂ，５１ｂ，５３ｂ側を、チャンネル部１３の内面１４ａより本体壁部１２の内面１２ａに接近させるように配置させて、周壁部３に取り付けている。さらに、複数の電気機器４７の内のいずれか、すなわち、受信機４８や内照用電源部４９が、内面４８ａ，４９ａ側を光反射材２１Ｌ，２１Ｄに設けた挿通孔２１ｂ，２１ｃから突出させて、配置している。
【００８５】
そのため、実施形態では、光反射材２１（２１Ｔ，２１Ｌ，２１Ｒ，２１Ｄ）が、周壁部３の枠本体１１における前後のチャンネル部１３，１３を取付座とし、周壁部３の最も内面側に取り付けられ、そして、その光反射材２１の内面側にＬＥＤ２７が取り付けられることから、前後方向の投影状態で、周壁部３の枠本体１１におけるチャンネル部１３の影になることなく、各ＬＥＤ２７が、前後の表示板６２，６７に均等光を照射できる。また、電気機器４７も、チャンネル部１３の内面１４ａからの突出量を抑制するように、外面４８ｂ，４９ｂ，５０ｂ，５１ｂ，５３ｂ側を、チャンネル部１３の内面１４ａより本体壁部１２の内面１２ａに接近させるように（換言すれば、枠本体１１のチャンネル部１３間に嵌め込むように）配置させて、周壁部３の枠本体１１に取り付けられており、前後方向の投影状態で、極力、電気機器４７の影になることなく、各ＬＥＤ２７が、前後の表示板６２，６７に均等光を照射できる。
【００８６】
さらに、電気機器４７の受信機４８や電源部４９が、周壁部３の枠本体１１における本体壁部１２からのチャンネル部１３の高さ寸法より、高い寸法として、光反射材２１Ｌ，２１Ｄの配置エリアに配置されていても、光反射材２１Ｌ，２１Ｄの挿通孔２１ｂ，２１ｃから突出させて配置させており、それらの挿通孔２１ｂ，２１ｃの周縁の反射を利用して、極力、電気機器４７の影になることなく、各ＬＥＤ２７が、前後の表示板６２，６７に均等光を照射できる。その結果、このような構成では、ＬＥＤ２７が、一層、前後の表示板６２，６７を、均整度良く照明できる。
【００８７】
勿論、この場合でも、実施形態では、ＬＥＤ２７の数を少なくできて消費電力量を削減できるように、ＬＥＤ２７が、左側壁部５と右側壁部６とに配置されない構成として、既述したように、複数の電気機器４７の内の少なくとも一つ、実施形態では、ブレーカ５０、端子台５１、及び、外照用電源部５３，５３が、左側壁部５と右側壁部６とに配置されている。しかし、これらの電気機器４７としてのブレーカ５０、端子台５１、及び、外照用電源部５３，５３が、チャンネル部１３の内面１４ａからの突出量を抑制するように、外面５０ｂ，５１ｂ，５３ｂ側を、チャンネル部１３の内面１４ａより本体壁部１２の内面１２ａに接近させて、換言すれば、枠本体１１のチャンネル部１３間に嵌め込むように、左側壁部５や右側壁部６に取り付けている。そのため、それらの電気機器４７（ブレーカ５０、端子台５１、及び、外照用電源部５３，５３）が、チャンネル部１３からの内方への突出量を少なくして、極力、表示板６２，６７に影を映さないことから、その結果、ＬＥＤ２７が、安定して、前後の表示板６２，６７を、均整度良く照明できる。
【００８８】
なお、電気機器４７としての受信機４８、内照用電源部４８、ブレーカ５０、端子台５１、外照用電源部５３等は、影が表示板６２，６７に映らない位置であれば、それらの配置は、実施形態の位置に限るものではない。
【００８９】
また、実施形態では、人センサーからの信号を受けて、照明部７６を点灯する受信機４８を設けたものを示したが、勿論、受信機４８を設けずに、夜間に、ＬＥＤ２７とともに、照明部７６を点灯させるように構成してもよい。さらに、照明部７６を設けない構造としてもよく、その場合には、外照用電源部５３も不要となる。さらにまた、人センサーからの信号を受けて、照明部７６を点灯させ、かつ、点灯させていた各ＬＥＤ２７を点滅させるように構成してもよい。
【００９０】
【表１】
0005393650.tif 000002
【符号の説明】
【００９１】
１…道路標識、
２…標識本体、
３…周壁部、
４…下壁部、
４ａ…中央部、
５…左側壁部、
６…右側壁部、
７…左上壁部、
７ａ，８ａ…上端部、
８…右上壁部、
１１…枠本体、
１２…本体壁部、
１２ａ…（本体壁部の）内面、
１３…チャンネル部、
１４ａ…（チャンネル部の）内面、
２１…光反射材、
２２…基板、
２３…光反射層、
２７…ＬＥＤ、
４７…電気機器、
４８ａ，４９ａ，５０ａ，５１ａ，５３ａ…（電気機器の）内面、
４８ｂ，４９ｂ，５０ｂ，５１ｂ，５３ｂ…（電気機器の）外面、
６０…前壁部、
６２，６７…表示板、
６５…後壁部、
７０…自在継手手段、
７６…照明部、
８０…ＬＥＤ。
【図１】
0005393650.tif 000003
【図２】
0005393650.tif 000004
【図３】
0005393650.tif 000005
【図４】
0005393650.tif 000006
【図５】
0005393650.tif 000007
【図６】
0005393650.tif 000008
【図７】
0005393650.tif 000009
【図８】
0005393650.tif 000010
【図９】
0005393650.tif 000011
【図１０】
0005393650.tif 000012
【図１１】
0005393650.tif 000013
【図１２】
0005393650.tif 000014
【図１３】
0005393650.tif 000015
【図１４】
0005393650.tif 000016
【図１５】
0005393650.tif 000017
【図１６】
0005393650.tif 000018
【図１７】
0005393650.tif 000019
【図１８】
0005393650.tif 000020
【図１９】
0005393650.tif 000021